(57)【要約】      （修正有）【課題】外壁材に割れ、凹み変形等が発生することがないと共に、建物躯体に外壁材を取付けた後に取付具の取付け強度を増すことが可能である建物付設物を備えた建物とする。【解決手段】建物躯体１０の取付用孔１１に、取付具３０のボルト部材３１を挿通し、取付用ナット部材３２を建物躯体１０の室外側面１０ｂに押え部材３７を介して押しつけて建物躯体１０に挟持して取付け、外壁材２０の孔２１に遊嵌して環状の隙間２２を形成し、ボルト部材３１に螺合した外壁材保護部材３４を外壁材２０の室外側面２０ｂに接し、建物付設物である庇の取付用のブラケット６を固定用ナット部材３３によって前記外壁材保護用部材３４に押しつけて建物外壁２に取付ける。【選択図】図２
2008106505.tif 000002
【特許請求の範囲】
【請求項１】
建物躯体に外壁材を取付けて建物外壁とし、その建物外壁に、建物付設物を取付けた建物付設物を備えた建物であって、
前記建物躯体に形成した室内外側方向に向かう取付用孔にボルト部材が、その螺子部が室外側に突出して挿通され、そのボルト部材の螺子部に螺合した取付用ナット部材の締付力によって当該建物躯体の室内側面と室外側面を挟持して取付けられ、その螺子部は前記外壁材の孔を貫通して室外側に突出していると共に、前記取付用ナット部材は前記外壁材の孔に遊嵌して両者の間に環状の隙間を形成し、
前記取付用ナット部材は外壁材の厚さと略同一長さで、その取付用ナット部材の室外側部分は外壁材の室外側面寄りに位置し、
前記外壁材の孔と取付用ナット部材との間の環状の隙間はシール材でシールされ、
前記外壁材から突出した螺子部に外壁材保護用部材が螺合され、
この外壁材保護用部材は外壁材の室外側面に接して前記孔を閉塞し、
前記螺子部に螺合した固定用ナット部材の締付力で、前記建物付設物の取付部を前記外壁材保護用部材に押しつけて取付けていることを特徴とする建物付設物を備えた建物。
【請求項２】
建物躯体の室外側面に押え部材を固着し、この押え部材の孔にボルト部材を、当該ボルト部材に作用する下向きの力を押え部材で支持できるように挿通し、この押え部材に取付用ナット部材を押しつけると共に、その押え部材の接触面積が取付用ナットの断面積よりも大きい請求項１記載の建物付設物を備えた建物。
【請求項３】
建物躯体の取付用孔に挿通するボルト部材と、
このボルト部材の螺子部に螺合して当該ボルト部材を建物躯体を挟持して取付けると共に、外壁材の孔に遊嵌して両者の間に環状の隙間を形成する取付用ナット部材と、
前記ボルト部材の螺子部における前記取付用ナット部材よりも先端寄りに螺合し、前記外壁材の孔を閉塞する外壁材保護用部材と、
前記ボルト部材の螺子部における前記外壁材保護用部材よりも先端寄りに螺合して建物付設物の取付部を前記外壁材保護用部材に押しつけ固定する固定用ナット部材より成る建物付設物取付用の取付具。
【発明の詳細な説明】
【技術分野】
【０００１】
本発明は、庇、バルコニー、窓用手摺、出窓ユニット、外階段、日除け、看板などの建物付設物を建物外壁に取付けた建物付設物を備えた建物及び、その建物付設物を建物外壁に取付ける建物付設物取付用の取付具に関する。
【背景技術】
【０００２】
建物付設物であるバルコニーを建物の外壁に取付けた建物付設物を備えた建物が特許文献１，２にそれぞれ開示されている。
特許文献１に開示された建物は、建物躯体に取付金属部材を固着し、この取付金属部材に設けた支持ボルトを建物外壁よりも突出させ、その支持ボルトの突出部分に支持ブラケットを挿通すると共に、ナットを螺合して固着し、この支持ブラケットにバルコニーを連結してバルコニーを建物外壁に取付けている。
特許文献２に開示された建物は、建物構造物に取付具を設け、この取付具を建物外壁材の孔を挿通して突出し、その取付具の突出部分に連結具を挿通すると共に、ナットを螺合して固着し、そのナットの締付力を締付力受け部材で建物構造物によって支持できるように、前記連結具にバルコニーを連結してバルコニーを建物外壁に取付けている。
【０００３】
【特許文献１】実公平３−４６４３号公報
【特許文献２】特開２００３−９６９１７号公報
【発明の開示】
【発明が解決しようとする課題】
【０００４】
前述した特許文献１に開示された従来の建物では、ナットの締付力を建物外壁で支持するので、建物外壁に大きな負荷が作用する。
このために、建物外壁をＡＬＣパネルなどのもろい外壁材とした場合には、ナットの締め付けによって割れなどが発生し、そこから雨水等が建物躯体側に浸入することがある。
また、建物外壁を外断熱パネルなどの軟質の外壁材とした場合には、ナットの締め付けによって凹み変形することがある。
【０００５】
前述した特許文献２に開示された従来の建物では、ナットの締付力を建物構造物で支持するので、建物外壁に大きな負荷が作用しないから、外壁材に前述の割れ、凹み変形等が発生することがない。
しかし、特許文献２に開示されたものは、建物構造物と外壁材との間に隙間がある建物に適用するもので、その隙間がない建物、つまり外壁材を建物躯体に接して取付ける建物には適用できない。
また、取付具を取付けた状態で時間が経過すると、その取付具の取付け強度が弱まることがあるので、取付具を取付けてから時間が経過した後に建物付設物を取付ける場合には好ましくない。
【０００６】
本発明の目的は、建物付設物を取付けることによって建物外壁に大きな負荷が作用することがなく、外壁材に割れ、凹み変形等が発生することがないと共に、建物躯体に外壁材を接して取付けることができ、さらには外壁材を取付けた後に、取付具の取付け強度を増すことが可能である建物付設物を備えた建物及び建物付設物取付用の取付具を提供することである。
【課題を解決するための手段】
【０００７】
本発明は、建物躯体に外壁材を取付けて建物外壁とし、その建物外壁に、建物付設物を取付けた建物付設物を備えた建物であって、
前記建物躯体に形成した室内外側方向に向かう取付用孔にボルト部材が、その螺子部が室外側に突出して挿通され、そのボルト部材の螺子部に螺合した取付用ナット部材の締付力によって当該建物躯体の室内側面と室外側面を挟持して取付けられ、その螺子部は前記外壁材の孔を貫通して室外側に突出していると共に、前記取付用ナット部材は前記外壁材の孔に遊嵌して両者の間に環状の隙間を形成し、
前記取付用ナット部材は外壁材の厚さと略同一長さで、その取付用ナット部材の室外側部分は外壁材の室外側面寄りに位置し、
前記外壁材の孔と取付用ナット部材との間の環状の隙間はシール材でシールされ、
前記外壁材から突出した螺子部に外壁材保護用部材が螺合され、
この外壁材保護用部材は外壁材の室外側面に接して前記孔を閉塞し、
前記螺子部に螺合した固定用ナット部材の締付力で、前記建物付設物の取付部を前記外壁材保護用部材に押しつけて取付けていることを特徴とする建物付設物を備えた建物である。
【０００８】
本発明においては、建物躯体の室外側面に押え部材を固着し、この押え部材の孔にボルト部材を、当該ボルト部材に作用する下向きの力を押え部材で支持できるように挿通し、この押え部材に取付用ナット部材を押しつけると共に、その押え部材の接触面積が取付用ナットの断面積よりも大きいようにできる。
このようにすれば、ボルト部材に大きな下向きの力が作用しても、その下向きの力でボルト部材が下向きに湾曲変形することを防止できるし、取付用ナット部材の締付力でボルト部材をしっかりと強固に取付けできると共に、その締付力で建物躯体がへこむことを防止できる。
【０００９】
本発明の取付具は、建物躯体の取付用孔に挿通するボルト部材と、
このボルト部材の螺子部に螺合して当該ボルト部材を建物躯体を挟持して取付けると共に、外壁材の孔に遊嵌して両者の間に環状の隙間を形成する取付用ナット部材と、
前記ボルト部材の螺子部における前記取付用ナット部材よりも先端寄りに螺合し、前記外壁材の孔を閉塞する外壁材保護用部材と、
前記ボルト部材の螺子部における前記外壁材保護用部材よりも先端寄りに螺合して建物付設物の取付部を前記外壁材保護用部材に押しつけ固定する固定用ナット部材より成る建物付設物取付用の取付具である。
【発明の効果】
【００１０】
本発明によれば、建物付設物の取付部を建物外壁に取付ける固定用ナット部材の締付力は、外壁材保護用部材を介して建物躯体に取付けたボルト部材で支持され、外壁材には大きな負荷が作用しない。
したがって、外壁材に割れ、凹み変形等が発生することがない。
【００１１】
また、ボルト部材の螺子部における外壁材の室外側面よりも突出した部分に外壁材保護用部材を螺合したので、建物躯体の室外側面と外壁材の室内側面との間の形状に関係がなく外壁材保護用部材を設けることができる。
したがって、建物躯体に外壁材を接して取付けることができる。
【００１２】
また、外壁材の孔と取付用ナット部材との間の環状の隙間に回転用工具を入れて取付用ナット部材を回転することが可能であるから、外壁材を取付けた後に取付用ナット部材を増し締めして取付具（ボルト部材）の取付強度を増すことが可能である。
しかも、取付用ナット部材を増し締めすることで、その取付用ナット部材が外壁材の室外側面から離れても、固定用ナット部材の締付力を前述のように外壁材保護用部材を介してボルト部材で支持できるから、外壁材に大きな負荷が作用しない。
【００１３】
しかも、取付用ナット部材は外壁材の厚さと略同一長さで、その取付用ナット部材の室外側部分は外壁材の室外側面寄りに位置しているから、外壁材の孔と取付用ナット部材との間の環状の隙間に回転用工具を挿入して取付用ナット部材を回転し易いので、外壁材を取付けた後に取付用ナット部材を増し締めする操作がやり易い。
【００１４】
また、外壁材の孔と取付用ナット部材との間の環状の隙間はシール材でシールされ、
外壁材保護用部材は外壁材の室外側面に接して前記孔を閉塞しているから、外壁材の孔から雨水等が建物躯体に浸入することを防止できると共に、そのシール材が外壁材保護用部材で覆われるのでシール性を向上できる。
【発明を実施するための最良の形態】
【００１５】
図１に示すように、建物１の建物外壁２に建物付設物である庇３、バルコニー４を取付けることで、建物付設物を備えた建物としてある。
前記庇３は軒先側にブラケット５を有し、このブラケット５と建物外壁２に取付けた建物付設物の取付部、例えば建物付設物用ブラケット６とに亘って吊り部材７を連結して吊り下げるようにして取付けてある。
前記バルコニー４は窓８の周縁の建物外壁２に取付けてある。
図１に示す実施の形態では庇３とバルコニー４が取付けてあるが、どちらか一方でも良い。
また、建物付設物としては庇、バルコニーに限ることはなく、窓用手摺、出窓ユニット、外階段、日除け、看板などでも良い。
【００１６】
前記庇３の取付けについて説明する。
図２に示すように、建物躯体１０に外壁材２０を取付けて建物外壁２としてある。
この実施の形態では、建物躯体１０の室外側面１０ａに外壁材２０の室内側面２０ａを接して取付けてある。
これに限ることはなく、建物躯体１０の室外側面１０ａに外壁材２０の室内側面２０ａをスペーサ部材を介在して接して取付けても良い。
前記建物躯体１０は木材、例えば図３に示すように木製の躯体柱としてある。
これに限ることはなく、建物躯体１０は鉄筋などでも良い。
前記外壁材２０はＡＬＣパネルとしてある。
これに限ることはなく、外壁材２０は外断熱パネル（断熱材の表面に外装板を設けたもの）、木製プレート、金属製プレートなどでも良い。
【００１７】
前記建物付設物用ブラケット６は建物付設物取付用の取付具３０で建物外壁２、例えば外壁材２０の室外側面２０ｂに取付けられる。
前記取付具３０は、ボルト部材３１、このボルト部材３１の螺子部３１ａに螺合される取付用ナット部材３２、固定用ナット部材３３、外壁材保護用部材３４を備えている。
前記建物躯体１０には室外側面１０ａと室内側面１０ｂとに貫通した取付用孔１１が形成されている。
前記外壁材２０には室内側面２０ａと室外側面２０ｂとに貫通した孔２１が形成されている。
【００１８】
前記ボルト部材３１は建物躯体１０の取付用孔１１に室内側から挿通してボルト頭部３１ｂを建物躯体１０の室内側面１０ｂに接すると共に、螺子部３１ａを建物躯体１０の室外側面１０ａよりも室外側に向けて突出する。
この実施の形態ではボルト部材３１が回転しないように建物躯体１０に固定してある。
例えば、ボルト部材３１のボルト頭部３１ｂに穴３５が形成され、この穴３５から固着具３６を建物躯体１０に固着してボルト部材３１が回転しないようにしてある。
この実施の形態では、建物躯体１０の室内側面１０ｂにおける取付用孔１１の周縁に凹陥部１２が形成され、この凹陥部１２にボルト部材３１のボルト頭部３１ｂが嵌まり込み、そのボルト頭部３１ｂが建物躯体１０の室内側面１０ｂよりも突出しないようにしてある。
これに限ることはなく、ボルト部材３１のボルト頭部３１ｂは建物躯体１０の室内側面１０ｂよりも突出しても良い。
【００１９】
前記取付用ナット部材３２はボルト部材３１の螺子部３１ａに螺合し、その取付用ナット部材３２を締め付けて建物躯体１０の室外側面１０ａに押しつけることで、この取付用ナット部材３２と前記ボルト頭部３１ｂとで建物躯体１０の室外側面１０ａと室内側面１０ｂを挟持してボルト部材３１を建物躯体１０に取付ける。
この実施の形態では建物躯体１０の室外側面１０ａに押え部材３７が固着具３８で固着され、この押え部材３７の孔３７ａにボルト部材３１が隙間なく挿通し、このボルト部材３１に作用する下向きの力を押え部材３７で支持できるようにしてある。
これによって、ボルト部材３１に大きな下向きの力が作用した時、その力を押え部材３７で支持してボルト部材３１が下向きに湾曲変形することを防止できる。
すなわち、ボルト部材３１と取付用孔１１との間には環状の隙間があるので、ボルト部材３１に下向きの力が作用すると、ボルト部材３１は、その隙間に相当するだけボルト頭部３１ｂを支点として下向きに湾曲変形しようとする。
前記押え部材３７に取付用ナット部材３２が押しつけてあり、その押え部材３７の建物躯体１０の室外側面１０ａへの接触面積は、取付用ナット部材３２の断面積よりも大きい。
これによって、建物躯体１０をしっかりと挟持することが可能であると共に、建物躯体１０がへこみ変形することがない。
なお、押え部材３７を用いずに取付用ナット部材３２を建物躯体１０の室外側面１０ａに直接に接するようにしても良い。
【００２０】
前記取付用ナット部材３２は外壁材２０の孔２１内に遊嵌し、その孔２１の内周面と取付用ナット部材３２の外周面との間には環状の隙間２２を形成していると共に、その取付用ナット部材３２は外壁材２０の室外側面２０ｂより室外側には突出しない。
前記環状の隙間２２に回転用工具、例えば六角レンチを入れることで取付用ナット部材３２を回転できるようにしてある。
これによって、建物躯体１０に外壁材２０を取付けた状態で取付用ナット部材３２を締め付けできる。
前記環状の隙間２２にはシール材２３が充填され、その隙間２２から雨水等が建物躯体１０側に浸入しないようにしてある。
【００２１】
前記ボルト部材３１の螺子部３１ａは外壁材２０の孔２１を貫通して室外側面２０ｂより室外側に突出している。
この突出している螺子部３１ａに前記外壁材保護用部材３４が螺合している。その外壁材保護用部材３４は外壁材２０の孔２１の径よりも大きく、外壁材２０の室外側面２０ｂに接することで孔２１を閉塞して前記シール材２３をカバーしているので、そのシール材２３によるシール性能を向上することが可能である。
前記外壁材保護用部材３４は、この実施の形態においては、外周面が多角形状のプレートで、その中心部分に螺子穴３４ａが形成され、その螺子穴３４ａをボルト部材３１の螺子部３１ａに螺合するようにしてある。
【００２２】
前記ボルト部材３１の螺子部３１ａは外壁材保護用部材３４よりも室外側に突出し、その突出した部分に、前記建物付設物用ブラケット６が挿通し、固定用ナット部材３３を螺合して締め付けることで、前記建物付設物用ブラケット６を前記外壁材保護用部材３４に押しつけて固定している。
前記建物付設物用ブラケット６は、基板６ａと一対の側板６ｂでコ字形状で、その基板６ａの孔６ｃをボルト部材３１の螺子部３１ａに挿通してある。
そして、一対の側板６ｂ間に吊り部材７のブラケット７ａが固着具６ｄで連結してある。
【００２３】
このようであるから、固定用ナット部材３３の締付力は建物付設物用ブラケット６、外壁材保護用部材３４を介してボルト部材３１で支持され、外壁材２０に大きな負荷が作用しない。
したがって、外壁材２０がＡＬＣパネルの場合に固定用ナット部材３３の締付力で割れが発生することがなく、外壁材２０が外断熱パネルの場合に固定用ナット部材３３の締付力で凹み変形が発生することがない。
【００２４】
また、ボルト部材３１の螺子部３１ａにおける外壁材２０の室外側面２０ｂよりも突出した部分に、外壁材保護用部材３４を螺合したので、建物躯体１０の室外側面１０ａと外壁材２０の室内側面２０ａとの間の形状に関係なく外壁材保護用部材３４を設けることができる。
したがって、建物躯体１０に外壁材２０を接して取付けることができる。
【００２５】
また、取付用ナット部材３２は外壁材２０を取付けた後に締め付け操作できるので、外壁材２０を取付けた後に取付用ナット部材３２を増し締めしてボルト部材３１の取付け強度を増すことによって取付具３０の建物躯体１０への取付強度を増すことができる。
したがって、ボルト部材３１を取付けてから時間が経過した後に建物付設物を取付ける際に、前述の時間の経過によってボルト部材３１の取付け強度が低下して取付具３０の建物躯体１０への取付け強度が低下した場合には、そのボルト部材３１を取付け強度を増すことで取付具３０の建物躯体１０への取付け強度を増すことができる。
つまり、ボルト部材３１は、そのボルト頭部３１ｂと取付用ナット部材３２の締付力とで建物躯体１０を挟持して取付けるので、時間の経過によって取付用ナット部材３２の弛み、木製の建物躯体１０の収縮変形（木痩せ）などによってボルト部材３１の取付け強度が低下することがあるので、前述のようにして取付用ナット部材３２を増し締めしてボルト部材３１の取付強度を強くする。
しかも、前述のように取付用ナット部材３２を増し締めすることで、その取付用ナット部材３２が外壁材２０の室外側面２０ｂから離れても、固定用ナット部材３３の締付力を前述のように外壁材保護用部材を介してボルト部材３１で支持できるから、外壁材２０に大きな負荷が作用しない。
【００２６】
前記取付用ナット部材３２の長さは外壁材２０の厚さと略同一、つまり外壁材２０の厚さよりも若干だけ短い長さである。
これによって、取付用ナット部材３２の長手方向端部は外壁材２０の孔２１の室外側面２０ｂ寄りに位置するので、回転用工具を用いて取付用ナット部材３２を回転操作し易い。
【００２７】
次に、建物付設物の取付け手順を説明する。
建物躯体１０を構築した後に、その建物躯体１０に取付用孔１１を建物付設物の取付け位置に合わせて形成する。
なお、複数の躯体柱で建物躯体１０を構成する場合などには、その躯体柱にあらかじめ取付用孔１１を形成することもできる。
前記建物躯体１０の取付用孔１１にボルト部材３１を挿通し、固着具３６で回転止めし、その螺子部３１ａに取付用ナット部材３２を螺合して締め付けることで建物躯体１０を挟持して取付ける。
これによって、ボルト部材３１の螺子部３１ａの先端部分と取付用ナット部材３２が建物躯体１０の室外側面１０ａよりも突出する。
【００２８】
前記建物躯体１０の室外側面１０ａに外壁材２０を取付け、その孔２１内に取付用ナット部材３２を遊嵌して両者の間に環状の隙間２２を形成する。
この後に、前述の環状の隙間２２に回転工具を入れて取付用ナット部材３２を増し締めしてボルト部材３１の取付け強度を強くする。
前述の環状の隙間２２にシール材２３を充填して外壁材２０の孔２１と取付用ナット部材３２との間をシール（水密）する。
この後に、ボルト部材３１の螺子部１ａにおける外壁材２０の室外側面２０ｂから突出している部分に外壁材保護用部材３４を螺合して外壁材２０の室外側面２０ｂに軽く接して前述の孔２１を閉塞する。
【００２９】
これによって、建物付設物の取付け基準が完了する。
そして、建物付設物を取付ける際には、建物付設物用ブラケット６をボルト部材３１の螺子部３１ａの先端部分に挿入し、固定用ナット部材３３を螺合して締め付けることで取付ける。
なお、建物付設物用ブラケット６を取付けて建物付設物の取付け準備が完了としても良い。
【００３０】
次に、バルコニーの取付けについて説明する。
図４に示すように、建物外壁２にバルコニー取付用のブラケット（建物付設物取付用ブラケット）４０を、前述した取付具３０で取付ける。
前記ブラケット４０は、外壁材２０に接する躯体側の第１ブラケット４０ａと、この躯体側ブラケット４０ａに接するバルコニー側の第２ブラケット４０ｂを有する。
そして、第１ブラケット４０ａと第２ブラケット４０ｂを共通の取付具３０で取付けると共に、バルコニーの取付け強度は大きいので、第１・第２ブラケット４０ａ，４０ｂを複数の取付具３０で取付ける。
【００３１】
具体的には、前記第１ブラケット４０ａは縦板４１と、この縦板４１に設けた複数の横向片４２と、前記縦板４１の上部に設けた上取付片４３を有し、その横向片４２を建物外壁２に接して取付けられる。
前記第２ブラケット４０ｂは取付縦板４４に横向材４５を固着したもので、その取付縦板４４を縦板４１に接して取付けられる。
そして、前記取付縦板４４の上下・左右と縦板４１の上部・下部寄りと対向して４つの取付具３０が前述と同様にして建物躯体１０に取付けてある。
前記縦板４１の上部・下部寄りの孔４１ａと取付縦板４４の上下・左右の孔４４ａとにボルト部材３１の螺子部３１ａを順次挿通して取付縦板４４から突出し、その突出部に固定用ナット３３を螺合して締め付け、その縦板４１をバックアップ材４６を介して外壁材保護用部材３４に押しつける。
【００３２】
前述の説明では、ブラケットを建物付設物の取付部としたが、これに限ることはなく建物付設物の一部分を取付部とすることもできる。
例えば、外階段の場合には、その桁材に孔を形成してボルト部材３１の螺子部３１ａに挿通して外壁材保護用部材３４に接して固定用ナット部材３３を締め付けて取付けることができ、その桁材が取付部である。
【図面の簡単な説明】
【００３３】
【図１】本発明の実施の形態を示す建物の概略正面図である。
【図２】図１のＡ部拡大断面図である。
【図３】建物躯体と外壁材と取付具の分解斜視図である。
【図４】バルコニー取付部の断面図である。
【符号の説明】
【００３４】
１…建物、２…建物外壁、３…庇（建物付設物）、４…バルコニー（建物付設物）、６…建物付設物取付用ブラケット（取付部）、１０…建物躯体、１０ａ…室内側面、１０ｂ…室外側面、２１…孔、２２…環状の隙間、２３…シール材、３０…取付具、３１…ボルト部材、３１ａ…螺子部、３１ｂ…ボルト頭部、３２…取付用ナット部材、３３…固定用ナット部材、３４…外壁材保護用部材、３７…押え部材、４０…ブラケット（取付部）。
【図１】
2008106505.tif 000003
【図２】
2008106505.tif 000004
【図３】
2008106505.tif 000005
【図４】
2008106505.tif 000006